(57)【要約】      （修正有）【課題】ガソリンに含まれる多不飽和化合物のモノ不飽和化合物への選択的水素化並びに不飽和化合物との反応による軽質硫黄含有化合物の重量化を一緒に行う方法を提供する。【解決手段】硫化された形態で用いられる、第VIb族からの少なくとも１種の金属および第VIII族からの少なくとも１種の非貴金属を担体上に担持されて含む担持触媒を用いる。触媒は、特定の組成、第VIII族金属に対する第VIb族金属の最適化された比および触媒の単位表面積当たり第VIb族からの元素の最適化された密度を有する。【選択図】なし【特許請求の範囲】
【請求項１】
多不飽和化合物をモノ不飽和化合物に選択的に水素化する方法であり、ガソリン中に含まれる不飽和化合物との反応による飽和軽質硫黄含有化合物の重量化と一緒に行い得る方法であって、第VIb族からの少なくとも１種の金属および第VIII族からの少なくとも１種の非貴金属を担体上に担持されて含有する触媒を用い、
・第VIb族からの元素の酸化物の重量による量：４〜２０重量％；
・第VIII族からの元素の酸化物の重量による量：１５重量％未満；
・前記触媒の構成金属の硫化度：少なくとも６０％；
・第VIII族からの非貴金属と第VIb族からの金属の間のモル比：０．６〜３ｍｏｌ／ｍｏｌ；
・触媒の単位表面積当たりの第VIb族からの元素の密度：触媒の面積（ｍ２）当たり第VIb族元素の酸化物厳密に１０−３グラム未満
である、方法。
【請求項２】
触媒は、モリブデンおよびタングステンから選択される第VIb族からの金属を含む、請求項１に記載の方法。
【請求項３】
第VIb族からの金属はモリブデンである、請求項２に記載の方法。
【請求項４】
触媒は、ニッケル、コバルトおよび鉄から選択される第VIII族からの非貴金属を含む、請求項１に記載の方法。
【請求項５】
第VIII族からの非貴金属はニッケルである、請求項４に記載の方法。
【請求項６】
触媒は、第VIII族からの元素の酸化物の重量含有量１〜１０重量％を含む、請求項１〜５のいずれか１つに記載の方法。
【請求項７】
前記触媒の構成金属の硫化度は８０％超である、請求項１に記載の方法。
【請求項８】
第VIII族からの非貴金属と第VIb族からの金属の間のモル比は１〜２ｍｏｌ／ｍｏｌの範囲である、請求項１に記載の方法。
【請求項９】
触媒は、０．３ｃｍ３／ｇ超の総細孔容積を有する、請求項１〜８のいずれか１つに記載の方法。
【請求項１０】
触媒は、０．４〜１．４ｃｍ３／ｇの範囲の総細孔容積を有する、請求項９に記載の方法。
【請求項１１】
触媒の比表面積は３００ｍ２／ｇ未満である、請求項１〜１０のいずれか１つに記載の方法。
【請求項１２】
触媒担体は、アルミナ、シリカ、炭化ケイ素から選択される多孔質金属酸化物または前記酸化物の混合物である、請求項１に記載の方法。
【請求項１３】
触媒担体は、高純度のアルミナによって構成される、請求項１２に記載の方法。
【請求項１４】
担体は、立方晶系ガンマアルミナまたはデルタアルミナによって構成される、請求項１２または１３に記載の方法。
【請求項１５】
触媒担体は、０．４〜１．４ｃｍ３／ｇの範囲の細孔容積を有する、請求項１２〜１４のいずれか１つに記載の方法。
【請求項１６】
触媒担体は、０．５〜１．３ｃｍ３／ｇの範囲の細孔容積を有する、請求項１５に記載の方法。
【請求項１７】
請求項１〜１６のいずれか１つの方法による選択的水素化方法であって、仕込原料は、８０〜２２０℃の範囲の温度、１〜１０ｈ−１の範囲の液体毎時空間速度、および０．５〜５ＭＰａの範囲の圧力で触媒と接触させられる、方法。
【発明の詳細な説明】
【技術分野】
【０００１】
新しい環境基準を満足するガソリンの製造は、それらの硫黄含有量が、一般的には５０ｐｐｍを超えない、好ましくは１０ｐｐｍ未満の値まで大幅に低減させられることを必要とする。
【０００２】
ガソリンプールの３０〜５０％を示し得る、転化ガソリン、より特定的には、接触分解からのものは、高いモノオレフィンおよび硫黄の含有量を有することも知られている。
【０００３】
この理由のため、ガソリン中に存在する硫黄は、９０％超が、以降ＦＣＣ（fluid catalytic cracking：流動接触分解）ガソリンと称されることになる接触分解法からのガソリンに起因する。ＦＣＣガソリンは、それ故に、本発明の方法のための好ましい仕込原料を構成する。
【０００４】
より一般的には、本発明の方法が適用可能であるのは、所定比率のジオレフィンを含有しており、かつ、Ｃ３およびＣ４留分からのいくつかのより軽質の化合物をも含有し得るあらゆるガソリン留分である。
【０００５】
分解装置からのガソリンは、一般的には、モノオレフィンおよび硫黄を豊富に含むが、ジオレフィンも、接触分解からのガソリンについて、１〜５重量％の幅で変動し得る含有量で含む。ジオレフィンは、容易に重合する不安定な化合物であり、一般的に、このようなガソリンのあらゆる処理、例えば、ガソリン中の硫黄含有量に関する規格を満たすことを目的とする水素化脱硫処理が行われ得る前に除去されなければならない。しかしながら、モノオレフィンの水素化を制限しかつ水素の消費量並びにガソリンのオクタン価の喪失を制限するように、このような水素化はジオレフィンに選択的に適用されなければならない。さらに、特許出願EP-01077247 A1に記載されているように、脱硫工程前に、重量化によって飽和軽質硫黄含有化合物（これらはチオフェンの沸点より低い沸点を有する硫黄含有化合物、例えば、メタンチオール、エタンチオール、ジメチルスルフィドである）を変換することが有利である。これは、５個の炭素原子を含有するモノオレフィンから主としてなる脱硫ガソリンフラクションは、簡単な蒸留によってオクタン価の喪失なしで生じさせられ得ることを意味するからである。
【０００６】
さらに、処理されるべき仕込原料中に存在するジエン性化合物は不安定であり、重合によりガム状物を形成する傾向を有する。このガム状物の形成によって、結果的に、選択的水素化触媒が徐々に不活性化するかまたは反応器が徐々に閉塞していく。それ故、工業的な適用のために、触媒の最大のサイクル時間を保証するように重合体の形成を制限する触媒、すなわち、仕込原料中の炭化水素による重合体またはガム状物前駆体の連続的な抽出を促進するために低い酸性度を有するかまたは最適化された多孔度を有する触媒を用いることが重要である。
【０００７】
本発明は、多飽和化合物、より特定的には、一緒にジオレフィンの水素化並びに軽質硫黄含有化合物、より特定的にはチオール（メルカプタン：mercaptan）の重量化を可能にする方法における新規な触媒の使用に関する。
【０００８】
本発明の一つの利点は、チオールを重量化してそれらをより容易に分離し得るようにし、そうして、それらを続く水素化脱硫工程において除去することによって硫黄の除去を促進することである。
【０００９】
本発明の別の利点は、高いオクタン価を有するガソリンの製造である。
【００１０】
本発明の第３の利点は、触媒の調剤（formulation）が高い脱ジエン化活性、重合体形成に関してより良好な触媒の安定性、ジオレフィンの水素化に関して良好な選択性およびチオールおよび他の軽質硫黄含有化合物の転化についての良好な活性を提供するように調整されるという事実に存する。
【背景技術】
【００１１】
文献には、ジオレフィンのモノオレフィンへの選択的水素化または重量化によるチオールの変換のいずれかまたはこれらの反応タイプの両方が１または２工程で行われることを可能にし得る触媒の調剤または方法が記載されている。
【００１２】
少なくとも１種の貴金属を含有する触媒の使用が知られている。それ故に、多くの特許は、パラジウム含有選択的水素化触媒を提案する。パラジウムは、その水素化活性のために知られており、選択的水素化法において広く用いられている。しかしながら、パラジウムは、毒、特に硫黄の存在に敏感である。本発明は、本発明の触媒がパラジウムを含まず、より一般的に貴金属を含有しない点で、このような触媒とは異なっている。
【００１３】
特許文献１には、０．１〜１重量％の範囲のパラジウムを含有する触媒に基づいて、接触分解ガソリン中のジオレフィンを水素化し、かつチオール含有量を低減させるための方法が提案されている。
【００１４】
特許文献２は、ニッケルおよびモリブデンをアルミナベースの担体上に含有する触媒によるジオレフィンの選択的水素化のための方法に関する。この方法は、金属ニッケルおよびモリブデンが酸化物の形態で用いられる点を特徴とする。本発明は、酸化物ではなく金属スルフィドの形態で金属が用いられている点でこの従来技術とは異なっている。
【００１５】
以下の特許および特許出願は、チオエーテル化反応および場合によるジオレフィンの選択的水素化によってチオールを重量化するための解決策を提案する。
【００１６】
特許文献３には、第１工程において、第VIII族からの金属、好ましくは酸化物形態のニッケルを含む触媒上でのジオレフィン上への付加によってチオールをスルフィドに変換し得、次いで、第２の工程において、水素の存在下に反応蒸留塔においてジオレフィンを選択的に水素化する方法が提案されている。本発明は、当該特許とは異なる。選択的水素化工程および硫黄含有化合物を重量化するための工程は、一緒に、硫化された形態で用いられた同一の触媒上で行われているからである。
【００１７】
特許文献４には、Ｃ３−Ｃ５留分の選択的水素化およびチオエーテル化方法であって、軽質化合物およびチオエーテルを別々に回収し得る２つの分画帯域を含む蒸留装置によって特徴付けられる方法が記載されている。記載された触媒は、第VIII族金属をベースとする触媒または金属を含有する樹脂のいずれかである。１５〜３５％のニッケルを含有する触媒が好ましい。本発明の触媒は、水素化金属が第VIb族からの金属でありニッケル含有量が１５重量％未満である点で当該特許とは異なっている。
【００１８】
特許文献５には、第VIb族からの少なくとも１種の金属および第VIII族からの１種の金属をアルミナ上に担持されて含有する触媒を用いる選択的水素化法が提案されている。第VIII族からの金属と第VIb族からの金属の間のモル比は０．２〜０．５ｍｏｌ／ｍｏｌの範囲である。本発明の触媒は、第VIII族金属と第VIb族金属の間のモル比が０．６〜３ｍｏｌ／ｍｏｌの範囲である点さらには触媒の単位表面積当たりの第VIb族元素の密度の点で当該従来技術とは異なっている。
【先行技術文献】
【特許文献】
【００１９】
【特許文献１】欧州特許出願公開０６８５５５２号明細書
【特許文献２】米国特許第６４６９２２３号明細書
【特許文献３】米国特許第５８０７４７７号明細書
【特許文献４】米国特許第５８５１３８３号明細書
【特許文献５】米国特許出願公開第２００７／７１７３６７４号明細書
【発明の概要】
【発明が解決しようとする課題】
【００２０】
文献に記載された解決策を考慮して、本発明は、多飽和化合物、より特定的にはジオレフィンの水素化並びに軽質硫黄含有化合物、より特定的にはチオールの重量化を共に行うために用いられ得る特定の組成を有する触媒を用いる方法を提案する。
【課題を解決するための手段】
【００２１】
本発明は、多飽和化合物、より特定的にはジオレフィンの選択的水素化を、飽和軽質硫黄含有化合物、より特定的にはチオールの重量化と一緒に行い得る方法であって、第VIb族からの少なくとも１種の金属および第VIII族からの少なくとも１種の非貴金属を多孔質担体上に担持されて含有し、
・第VIb族からの元素の酸化物の重量による量は４〜２０重量％の範囲であり；
・第VIII族からの元素の酸化物の重量による量は１５重量％未満であり；
・前記触媒の構成金属の硫化度は少なくとも６０％であり；
・第VIII族からの非貴金属と第VIb族からの金属の間のモル比は０．６〜３ｍｏｌ／ｍｏｌの範囲であり；
・触媒の単位表面積当たりの第VIb族からの元素の密度は、触媒面積（ｍ２）当たり第VIb族の酸化物の重量厳密に１０−３グラム未満である
触媒を用いる、方法を記載する。
【００２２】
本方法は、処理されるべきガソリンおよび水素によって構成される混合物を触媒上に通すことからなる。
【００２３】
水素は、一般的に、わずかに過剰に、ジオレフィンを水素化するのに必要なモルの化学量論（ジオレフィンのモル当たり水素１モル）に対してモル当たり５モルまで導入される。
【００２４】
ガソリンおよび水素によって構成される混合物は、０．５〜５ＭＰａの範囲の圧力、８０〜２２０℃の範囲の温度、１〜１０ｈ−１の範囲の液体毎時空間速度（liquid hourly space velocity：ＬＨＳＶ）（液体毎時空間速度は、毎時の触媒の容積（Ｌ）当たりの仕込原料の容積（Ｌ）（Ｌ／Ｌ・ｈ）で表される）で触媒と接触させられる。
【発明を実施するための形態】
【００２５】
本発明は、あらゆるタイプの化学的族、特にジオレフィン、モノオレフィンおよびチオールおよび軽質スルフィドの形態にある硫黄含有化合物を含むガソリンの処理方法に関する。本発明は、特に、転化ガソリン、特に接触分解、流動接触分解（ＦＣＣ）からのガソリン、コークス化法からのガソリン、ビスブレーキング法からのガソリンまたは熱分解法からのガソリンの変換における適用のものである。本発明が適用される仕込原料は、０〜２８０℃の範囲、より正確には３０〜２５０℃の範囲の沸点を有する。仕込原料は、３または４個の炭素原子を含有する炭化水素も含み得る。
【００２６】
例えば、接触分解装置に由来するガソリン（ＦＣＣ）は、平均で、０．５〜５重量％の範囲のジオレフィン、２０〜５０重量％の範囲のモノオレフィン、１０重量ｐｐｍ〜０．５重量％の範囲の硫黄（一般的には、少なくとも３００ｐｐｍのチオールを有する）を含有する。チオールは、一般的には、ガソリンの軽質フラクション、より正確には１２０℃未満の沸点を有するフラクションに濃縮される。
【００２７】
本発明の方法に記載されるガソリンの処理は、主として、
・ジオレフィンをモノオレフィンに選択的に水素化すること；
・モノオレフィンとの反応によって軽質飽和硫黄含有化合物、主にチオールをスルフィドまたはより重質のチオールに変換すること
からなる。
【００２８】
ジオレフィンをモノオレフィンに水素化するための反応は、不安定な化合物である１，３−ペンタジエンの変換によって下記に例証され、これは、容易にペンタ−２−エンに水素化され得る。しかしながら、二次的なモノオレフィンの水素化反応は制限されるべきである。下記の例に見られるように、それらは、結果として、ｎ−ペンタンの形成をもたらすからである。
【００２９】
【化１】
2010090366.tif 000002
【００３０】
変換されるべき硫黄含有化合物は、主に、チオールおよびスルフィドである。主なチオール変換反応は、チオールによるモノオレフィンのチオエーテル化からなる。この反応は、プロピルペンチルスルフィドを形成するペンタ−２−エン上へのプロパン−２−チオールの付加によって下記に例証される。
【００３１】
【化２】
2010090366.tif 000003
【００３２】
水素の存在下に、硫黄含有化合物の変換は、Ｈ２Ｓの中間形成を介しても起こり得、Ｈ２Ｓは、次いで仕込原料中に存在する不飽和化合物付加し得る。この経路は、しかしながら、好ましい反応条件下にマイナーなルートである。
【００３３】
チオールに加えて、変換されかつ重量化され得る化合物はスルフィド、主として、ジメチルスルフィド、メチルエチルスルフィドおよびジエチルスルフィド、ＣＳ２、ＣＯＳ、チオファンおよびメチルチオファンである。
【００３４】
所定の場合、軽質窒素含有化合物（主に、ニトリル、ピロールおよびその誘導体）の重量化反応が観察され得る。
【００３５】
本発明において記載された方法は、水素の流れとの混合物として処理されるべき仕込原料を、第VIb族（元素周期律表の新表記法における第６族：Handbook of Chemistry and Physics，７６版，１９９５−１９９６）からの少なくとも１種の金属および第VIII族（前記分類の第８、９および１０族）からの少なくとも１種の金属を多孔質担体上に担持されて含有する触媒と接触させることからなる。
【００３６】
特に、触媒の性能は、触媒が以下の特徴を有する場合に向上させられることが見出された：
酸化物形態における第VIb族からの元素の酸化物の重量による量は、４〜２０重量％の範囲、好ましくは５〜１５重量％の範囲である。第VIb族金属は、好ましくは、モリブデンおよびタングステンから選択される。より好ましくは、第VIb族金属はモリブデンである。
【００３７】
触媒はまた、好ましくはニッケル、コバルトおよび鉄から選択される第VIII族からの非貴金属を含有する。より好ましくは、第VIII族からの非貴金属は、ニッケルによって構成される。第VIII族からの非貴金属の量は、酸化物の形態で表されて、１５重量％未満、好ましくは、１〜１０重量％の範囲である。
【００３８】
第VIII族からの非貴金属と第VIb族からの金属の間のモル比は、０．６〜３ｍｏｌ／ｍｏｌの範囲、好ましくは１〜２．５ｍｏｌ／ｍｏｌの範囲である。
【００３９】
Ｎｉ／Ｍｏモル比３を超え、かつ４重量％超のモリブデン含有量のために、含浸溶液を調製するためにそれらの種を溶解させることは困難である。
【００４０】
触媒の単位表面積当たりのモリブデンの密度は、触媒の面積（ｍ２）当たりＭｏＯ３厳密に１０−３グラム未満、好ましくは触媒の面積（ｍ２）当たりＭｏＯ３厳密に７×１０−４グラム未満である。
【００４１】
好ましくは、水銀ポロシメトリによって測定される総細孔容積０．３ｃｍ３／ｇ超、好ましくは０．４ｃｍ３／ｇ超かつ１．４ｃｍ３／ｇ未満を有する触媒が用いられる。水銀ポロシメトリは、ＵＳ標準ASTM D4284-92に従ってぬれ角１４０°で、MicrometricsからのAutopore IIIモデルを用いて測定される。触媒の比表面積は、好ましくは３００ｍ２／ｇ未満である。好ましくは、本発明の触媒は、アルカリ金属もアルカリ土類金属も含有しない。
【００４２】
触媒担体は、好ましくは、アルミナ、アルミン酸ニッケル、シリカ、炭化ケイ素から選択される多孔質金属酸化物またはこれらの酸化物の混合物である。好ましくはアルミナが用いられ、より好ましくは高純度アルミナである。好ましくは、用いられる担体は、０．４〜１．４ｃｍ３／ｇの範囲、好ましくは０．５〜１．３ｃｍ３／ｇの範囲の総細孔容積（水銀ポロシメトリによって測定される）を有する。担体の比表面積は、好ましくは３５０ｍ２／ｇ未満である。
【００４３】
変形例では、担体は、立方晶系ガンマアルミナまたはデルタアルミナによって構成される。
【００４４】
本発明の好ましい実施において、ＮｉＯの形態のニッケル酸化物の重量含有量１〜１５％、ＭｏＯ３の形態のモリブデン酸化物の重量含有量５％超を含有し、かつ、ニッケル／モリブデンのモル比が１〜２．５であり、金属は、高純度アルミナ担体上に担持され、触媒を構成する金属の硫化度が８０％超である触媒が用いられる。
【００４５】
本発明の触媒は、当業者に知られているあらゆる技術、特に、第VIII族および第VIb族からの元素の選択された担体上への含浸を用いて調製され得る。この含浸は、例えば、乾式含浸として当業者に知られている態様であって、正確量の所望の元素が、可及的に正確に担体の細孔を満たし得る選択された溶媒、例えば脱塩水に可溶な塩の形態で導入される、態様を用いて行われ得る。溶液で満たされた担体は好ましくは乾燥させられる。好ましい担体は、当業者に知られているあらゆるタイプの前駆体および成形ツールから調製され得るアルミナである。
【００４６】
第VIII族および第VIb族からの元素を導入し、場合によっては触媒を成形した後、それは、活性化処理を経る。この処理は、一般的に、元素の分子前駆体を酸化物相に変換することを目的とする。この場合、それは酸化処理であるが、触媒の簡単な乾燥も行われ得る。焼成としても知られる酸化処理の場合、これは、一般的には、空気または希釈酸素中で行われ、処理温度は、一般的には２００〜５５０℃の範囲、好ましくは３００〜５００℃の範囲である。触媒調製法における使用のための第VIb族および第VIII族からの金属の塩の例は、硝酸コバルト、硝酸ニッケル、ヘプタモリブデン酸アンモニウムおよびメタタングステン酸アンモニウムである。十分な可溶性を有し、活性化処理の間に分解され得る当業者に知られている任意の他の塩も用いられ得る。
【００４７】
焼成の後、担体上に担持された金属は酸化物形態である。ニッケルおよびモリブデンの場合、金属は、主として、ＭｏＯ３およびＮｉＯの形態である。処理されるべき仕込原料と接触させられる前に、触媒は硫化工程を経る。硫化は、好ましくは、スルホ還元（sulpho-reducing）媒体中、すなわち、Ｈ２Ｓおよび水素の存在中で行われ、金属酸化物はスルフィド、例えば、ＭｏＳ２またはＮｉ３Ｓ２に変換される。硫化は、触媒上に、Ｈ２Ｓおよび水素を含有する流れまたは触媒および水素の存在下にＨ２Ｓに分解し得る硫黄含有化合物を注入することによって行われる。ポリスルフィド、例えば、ジメチルジスルフィドは、触媒を硫化するために日常的に用いられるＨ２Ｓ前駆体である。温度は、Ｈ２Ｓが金属酸化物と反応して金属スルフィドを形成するように調節される。この硫化は、水素化脱硫反応器の現場（in situ）または現場外（ex situ）（反応器の内側または外側）において、２００〜６００℃の範囲、より好ましくは３００〜５００℃の範囲の温度で行われ得る。
【００４８】
活性であるために、金属は、十分に硫化されなければならない。触媒中に存在する硫黄（Ｓ）と前記元素の間のモル比が考慮下の元素の全硫化に対応する理論的なモル比の少なくとも６０％である場合に元素は十分に硫化されたと考えられる：
（Ｓ／元素）触媒≧０．６×（Ｓ／元素）理論
式中：
（Ｓ／元素）触媒は、触媒中に存在する硫黄（Ｓ）と元素の間のモル比であり；
（Ｓ／元素）理論は、元素のスルフィドへの全硫化に対応する硫黄と元素の間のモル比である。
【００４９】
この理論モル比は、考慮される元素に応じて変動する：
・  （Ｓ／Ｆｅ）理論＝１
・  （Ｓ／Ｃｏ）理論＝８／９
・  （Ｓ／Ｎｉ）理論＝２／３
・  （Ｓ／Ｍｏ）理論＝２／１
・  （Ｓ／Ｗ）理論＝２／１
複数種の金属を含む触媒について、触媒上に存在するＳと一連の元素の間のモル比も、各元素のスルフィドへの全硫化に対応する理論モル比の６０％に少なくとも等しくなければならず、計算は、各元素の相対的なモル割合により比例して行われる。
【００５０】
例えば、モリブデンおよびニッケルを０．７および０．３の相対的なモル割合で含む触媒について、最少のモル比（Ｓ／Ｍｏ＋Ｎｉ）は、関係式：
（Ｓ／Ｍｏ＋Ｎｉ）触媒＝０．６×｛（０．７×２）＋（０．３×（２／３））｝
によって与えられる。
【００５１】
非常に好ましくは、金属の硫化度は、８０％超であるだろう。
【００５２】
硫化は、事前の金属還元工程を行うことなく、酸化物形態の金属上で行われる。実際に、還元された金属の硫化は、酸化物形態の金属の硫化より困難であることが知られている。
【００５３】
本発明の選択的水素化法において、処理されるべき仕込原料は、触媒と接触させられる前に水素と混合される。注入される水素の量は、水素と水素化されるべきジオレフィンの間のモル比が１（化学量論）超かつ１０未満、好ましくは１〜５ｍｏｌ／ｍｏｌの範囲であるようにされる。あまりに過剰の水素は、結果として、モノオレフィンの強い水素化をもたらし得、その結果、ガソリンのオクタン価が低減する。仕込原料の全体が、一般的に、反応器の入口に注入される。しかしながら、所定の場合に、仕込原料の一部または全部を、反応器内に置かれた２つの連続する触媒床の間に注入することが有利であり得る。この実施は、特に、仕込原料中に存在する重合体、粒子またはガム状物の堆積によって反応器の入口が閉塞した場合に反応器が継続的に操作されることを可能にし得る。
【００５４】
ガソリンおよび水素によって構成される混合物は、８０〜２２０℃の範囲、好ましくは９０〜２００℃の範囲の温度、１〜１０ｈ−１の範囲の液体毎時空間速度（ＬＨＳＶ）（液体毎時空間速度についての単位は、毎時の触媒の容積（Ｌ）当たりの仕込原料の容積（Ｌ）（Ｌ／Ｌ・ｈ）である）で触媒と接触させられる。圧力は、反応混合物が反応器内で主として液体の形態にあるように調節される。圧力は、０．５〜５ＭＰａの範囲、好ましくは１〜４ＭＰａの範囲である。
【００５５】
上記に規定された条件下に処理されたガソリンは、低減させられたジオレフィンおよびチオールの含有量を有する。一般的に、生成したガソリンは、１重量％未満のジオレフィン、好ましくは０．５重量％未満のジオレフィンを含有する。チオフェンの沸点（８４℃）未満の沸点を有する軽質硫黄含有化合物は、一般的に、５０％超転化される。それ故に、蒸留によってガソリンから軽質フラクションを分離することおよび追加的な処理なしでこのフラクションを直接的にガソリンプールに送ることが可能である。ガソリンの軽質フラクションは、一般的に１２０℃未満、好ましくは１００℃未満、より好ましくは８０℃未満の終点を有する。
【００５６】
この新規な触媒は、特許出願EP-01077247 A1において記載された方法に関連する使用に特に適している。
【００５７】
（実施例１：触媒ＡおよびＢ（本発明に合致しない）およびＣ、ＤおよびＥ（本発明に合致する）の調製）
触媒Ａ、Ｂ、Ｃ、ＤおよびＥは、乾式含浸によって調製された。合成手順は、ヘプタモリブデン酸アンモニウムおよび硝酸ニッケルの溶液であって、金属前駆体を含有する水溶液の容積は、含浸させられるべき担体の質量に対応する水吸収容積（細孔に浸透し得る水の総容積）に等しい、溶液の乾式含浸を行うことからなっていた。溶液中の前駆体の濃度は、所望重量の金属酸化物を担体上に担持するように調節された。
【００５８】
固体は、次いで、室温で１２時間にわたって熟成のために放置され、次いで、１２０℃で１２時間にわたって乾燥させられた。最後に、固体は、５００℃で２時間にわたって空気の流れ（１Ｌ／ｇ・ｈ）の中で焼成された。
【００５９】
用いられた担体は、０．７ｍＬ／ｇの細孔容積を有するアルミナであった。調製された触媒の特徴は、下記表１に提供される。調製された触媒は、それらの活性な相の含有量の点で異なる。
【００６０】
【表１】
2010090366.tif 000004
【００６１】
触媒Ｃ、ＤおよびＥは本発明に合致している：対照的に、触媒ＡおよびＢは、少なすぎるＮｉ／Ｍｏ比を有しており、それ故に、本発明に合致していなかった。
【００６２】
Ｎｉ／Ｍｏモル比３を超えて、および、４重量％超のモリブデン含有量のために、含浸溶液を調製するために種を溶解させることは困難である。
【００６３】
（触媒の評価）
触媒Ａ、Ｂ、Ｃ、ＤおよびＥの活性は、５００ｍＬの攪拌オートクレーブ反応器において行われるモデル分子の混合物についての選択的水素化試験によって評価された。大気圧において、硫化ベンチ（sulphrization bench）中、１５容積％のＨ２Ｓによって構成されるＨ２Ｓ／Ｈ２混合物１Ｌ／ｇ（触媒）・ｈ下に、４００℃で２時間にわたって２〜６グラムの触媒が硫化された。この手順は、本発明の触媒の全てについて８０％超の硫化比を生じさせた。硫化された触媒は、次いで、空気の不存在下に反応器に移され、１．５ＭＰａの全圧および１６０℃の温度で２５０ｍLのモデル仕込原料と接触させられた。圧力は、試験の間水素を加えることによって一定に維持された。
【００６４】
活性試験のために用いられた仕込原料は、以下の組成を有していた：ｎ−ヘプタン中、１０００重量ｐｐｍのメチル−３−チオフェンの形態の硫黄、１００重量ｐｐｍのプロパン−２−チオールの形態の硫黄、１０重量％のヘキセン−１の形態のオレフィン。
【００６５】
試験の時間ｔ＝０は、触媒を仕込原料と接触させることに対応していた。試験期間は４５分に固定され、得られた液体流出物のガスクロマトグラフィー分析は、イソプレンの水素化（メチルブテン形成）、ヘキセン−１の水素化（ｎ−ヘキサンの形成）および軽質チオールの重量化（プロパン−２−チオールの転化）について種々の触媒の活性が評価されることを可能にした。
【００６６】
各反応についての触媒の活性は、触媒のグラム当たりの各反応について得られた規格化速度定数（normalized rate constant）に対して規定される。速度定数は、反応について一次を仮定することによって計算される：
Ａ（Ｘ）＝ｋ（Ｘ）／ｍ
式中：
Ａ（Ｘ）：反応Ｘについての触媒の活性（触媒のグラム当たりの分−１）；
ｋ：考慮中の反応についての速度定数（分−１）、下記式にしたがって計算される：
【００６７】
【数１】
2010090366.tif 000005
【００６８】
ここで、
４５：試験継続期間（分）；
ｃｏｎｖ（Ｘ）：化合物Ｘの転化；Ｘ＝イソプレンまたはプロパン−２−チオールまたはヘキサン−１；
ｍ：試験に関与した触媒（酸化物形態）の質量；
Ｘ：考慮中の反応：
Ｘ＝イソプレン：イソプレンの水素化；
Ｘ＝ヘキセン−１：ヘキセン−１の水素化；
Ｘ＝プロパン−２−チオール：プロパン−２−チオールの転化。
【００６９】
イソプレンの水素化の方への触媒の選択性は、イソプレンおよびヘキセン−１を水素化する際の触媒の活性の比に等しい：
Ａ（イソプレン）／Ａ（ヘキセン−１）
種々の触媒について得られた結果は、下記表２に示される。
【００７０】
【表２】
2010090366.tif 000006
【００７１】
ヘキセン−１の大幅な水素化もなく、イソプレンの水素化について、本発明に合致する触媒Ｃ、ＤおよびＥは、本発明に合致しない触媒ＡおよびＢと比較して高い活性を有する。
【００７２】
（実施例２：Ｍｏの表面密度の影響）
この実施例において、実施例１において記載された操作手順を用いて触媒ＧおよびＨが調製された。
【００７３】
【表３】
2010090366.tif 000007
【００７４】
触媒ＧおよびＨは、実施例１に記載されたモデル分子試験において評価された。
【００７５】
【表４】
2010090366.tif 000008
【００７６】
本発明に合致しない触媒Ｇ（ｄＭｏＯ３＞１０−３ｇ／ｍ２触媒）は、本発明に合致する触媒Ｈと比較して不十分なイソプレン水素化活性を呈した。
【外国語明細書】
2010090366.tif 000009
2010090366.tif 000010
2010090366.tif 000011
2010090366.tif 000012
2010090366.tif 000013
2010090366.tif 000014
2010090366.tif 000015
2010090366.tif 000016
2010090366.tif 000017
2010090366.tif 000018
2010090366.tif 000019
2010090366.tif 000020
2010090366.tif 000021
2010090366.tif 000022
2010090366.tif 000023
2010090366.tif 000024
2010090366.tif 000025
2010090366.tif 000026
2010090366.tif 000027
2010090366.tif 000028
2010090366.tif 000029
2010090366.tif 000030